【手続補正書】
【提出日】平成16年2月26日(2004.2.26)
【手続補正１】
【補正対象書類名】特許請求の範囲
【補正対象項目名】全文
【補正方法】変更
【補正の内容】
【特許請求の範囲】
【請求項１】
次の工程：
細長く可撓性のある糸状キャリヤーを準備し、及び
該キャリヤーの全長の少なくとも一部分を膨張性の親水性重合体中に同軸に包封すること
を含む体腔閉塞装置の製造方法。
【請求項２】
キャリヤーの包封が、重合体の細長い部材を軟化された状態で準備し、及び該部材をキャリヤーで同軸方向に串刺しにすることからなる、請求項１に記載の方法。
【請求項３】
細長い部材の準備が、該部材を管状ホルダーに該部材が径方向に閉じ込められ且つその中に同軸方向に拘束されるように挿入することからなる、請求項２に記載の方法。
【請求項４】
キャリヤーの包封が、中に細長い空洞を有する型を準備し、該型の空洞内にキャリヤーを同軸方向に配置し、及び該空洞に重合体を該重合体が該キャリヤーの全長の少なくとも一部分を同軸に包封する部材に成形されるように移すことからなる、請求項１に記載の方法。
【請求項５】
キャリヤーが軸方向内腔を含み、しかもキャリヤーの包封が該キャリヤーの包封部分の内腔を重合体で実質的に満たすことからなる、請求項１に記載の方法。
【請求項６】
キャリヤーが軸方向内腔を含み、しかも該内腔に軸方向溜めを形成させることをさらに含む、請求項１に記載の方法。
【請求項７】
軸方向溜めの形成が、キャリヤーの内腔に細長い心棒を挿入してからこれを包封し、及びその包封後に該心棒をキャリヤーの内腔から取り出すことからなる、請求項６に記載の方法。
【請求項８】
次の段階：
請求項６に記載の方法に従って塞栓形成装置を作り、
該装置の軸方向溜めに治療剤を配置し、及び
該装置で患者の体腔を閉鎖させること
を含む患者に治療剤を供給するための方法。
【請求項９】
重合体を脱水させてこれを収縮させることをさらに含む請求項１に記載の方法。
【請求項１０】
重合体の脱水が装置を吸湿性媒体中に浸漬させることからなる請求項９に記載の方法。
【請求項１１】
重合体の脱水が装置を加熱することからなる請求項９に記載の方法。
【請求項１２】
重合体がある水性媒体の物理的パラメーターの関数である該媒体中での所定の水和速度を有し、しかも該パラメーターに応じて該重合体の水和速度を設定することをさらに含む、請求項１に記載の方法。
【請求項１３】
水和速度の設定が重合体を酸で処理することからなる請求項１２に記載の方法。
【請求項１４】
装置を所定期間にわたって物理的パラメーターを有する水性媒体中に浸漬させることをさらに含み、この場合、該所定期間及び該媒体の物理的パラメーターが重合体を実質的に膨張させることなく軟化させ且つ潤滑にさせるように選択されることを特徴とする、請求項１２に記載の方法。
【請求項１５】
体腔を閉塞させるための装置であって、これが
細長く可撓性のある糸状キャリヤーと、
該キャリヤーの全長の少なくとも一部分を同軸に包封した膨張性の親水性重合体の部材と
を含む体腔を閉塞させるための装置。
【請求項１６】
キャリヤーが軸方向内腔を含み、しかも部材の重合体が該キャリヤーの包封部分の内腔を実質的に満たす、請求項１５に記載の装置。
【請求項１７】
キャリヤーが中に軸方向溜めを有する軸方向内腔を含む請求項１５に記載の装置。
【請求項１８】
キャリヤーが可撓性ワイヤー、螺旋状コイル及びチューブよりなる群から選択される糸状要素を含む請求項１５に記載の装置。
【請求項１９】
同軸部材が円筒形である請求項１５に記載の装置。
【請求項２０】
同軸部材がヒドロゲルからなる請求項１５に記載の装置。
【請求項２１】
同軸部材が生分解性及び生体吸収性のうちの少なくとも一つである請求項１５に記載の装置。
【請求項２２】
同軸部材が乾燥したときよりも水和したときに実質的により大きい潤滑性を有する請求項１５に記載の装置。
【請求項２３】
空洞を閉塞させるための装置であって、これが
弾性記憶及び外部表面を有する生体適合性材料から形成された細長い糸状キャリヤーと、
該キャリヤーの外部表面のかなりの部分を覆うように該キャリヤー上に形成された膨張性ヒドロゲルの同軸部材と
を含み、
該装置が、該ヒドロゲルが脱水されたときよりも該ヒドロゲルが水和したときにより大きい可撓性及びより大きい潤滑性のうち少なくとも一つを有すること
を特徴とする、空洞を閉塞させるための装置。
【請求項２４】
装置の一部分の非支持末端部が該部分の重量を受けて該部分の反対側の支持末端部に対して、
ヒドロゲルが乾燥状態にあって該部分の双方の末端部間の水平距離が約２．２５インチ（５７．２ｍｍ）以上であるとき、
ヒドロゲルが中程度に水和した状態にあって該水平距離が約１．５インチ（３８．２ｍｍ）〜約２．２５インチ（５７．２ｍｍ）の間にあるとき、及び
ヒドロゲルが完全に水和した状態にあって該水平距離が約１．５インチ（３８．２ｍｍ）未満であるときに
約０．７５インチ（１９．１ｍｍ）下方に撓むことを特徴とする、請求項２３に記載の装置。
【請求項２５】
体腔を閉塞させるための装置であって、これが
外部表面を有する細長い糸状キャリヤーと、
該キャリヤーの外部表面のかなりの部分を覆う親水性重合体の同軸部材と
を含み、
該同軸部材の水性環境中での物理的性質が該環境中での時間及び該環境の物理的パラメーターの関数である
ことを特徴とする、体腔を閉塞させるための装置。
【請求項２６】
物理的性質が部材の可撓性及び潤滑性のうちの少なくとも一つであり、しかも環境の物理的パラメーターが該環境の温度及びｐＨのうちの少なくとも一つである、請求項２５に記載の装置。
【請求項２７】
遠位先端部及び外部表面を有する可撓性のある糸状キャリヤーと、該遠位先端部の近位に該キャリヤーの全長のかなりの部分に沿って該キャリヤーの該外部表面に取り外せないように固定された細長く連続した同軸塞栓形成要素とを含む脈管塞栓形成装置。
【請求項２８】
塞栓形成要素が耐伸長性の生体適合性重合体から形成された請求項２７に記載の塞栓形成装置。
【請求項２９】
塞栓形成要素が膨張性の親水性重合体から形成された請求項２７に記載の塞栓形成装置。
【請求項３０】
キャリヤーがＸ線下で視覚化できる材料を含む請求項２７に記載の塞栓形成装置。
【請求項３１】
重合体が環境に感受性のある重合体であって温度及びｐＨよりなる群から選択される環境パラメーターの変化に応答してその物理的特性を変化させるものである請求項２９に記載の塞栓形成装置。
【請求項３２】
塞栓形成要素が約２倍〜約１００倍の間の容積膨張係数によって膨張できる請求項２９に記載の塞栓形成装置。
【請求項３３】
塞栓形成要素が放射線不透過性である請求項２７に記載の塞栓形成装置。
【請求項３４】
キャリヤーが拘束されていないときに三次元形状をとり得るマルチループ構造の形で配置された請求項２７に記載の塞栓形成装置。
【請求項３５】
三次元形状が円形、螺旋形及び卵形よりなる群から選択される請求項３４に記載の塞栓形成装置。
【請求項３６】
細長く可撓性のある糸状キャリヤーと、該キャリヤーに取り外せないように固定され、所定時間経過後に温度及びｐＨよりなる群から選択される環境パラメターの変化に応答して膨張する膨張性重合体から形成された塞栓形成要素とを含む、脈管塞栓形成装置。
【請求項３７】
重合体が多孔性ヒドロゲルである請求項３６に記載の塞栓形成装置。
【請求項３８】
塞栓形成要素がキャリヤーの外部表面に該キャリヤーの全長のかなりの部分に沿って取り外せないように固定された細長く連続した同軸塞栓形成要素からなる請求項３６に記載の塞栓形成装置。
【請求項３９】
塞栓形成要素がキャリヤーに取り付けられた複数の膨張性重合体繊維からなる請求項３６に記載の塞栓形成装置。
【請求項４０】
塞栓形成要素が放射線不透過性である請求項３６に記載の塞栓形成装置。
【請求項４１】
キャリヤーが拘束されていないときに三次元形状をとり得るマルチループ構造の形で配置された請求項３６に記載の塞栓形成装置。
【請求項４２】
三次元形状が円形、螺旋形及び卵形よりなる群から選択される請求項４１に記載の塞栓形成装置。
【請求項４３】
所定の長さの細長く可撓性のある糸状キャリヤーと、該キャリヤーに該キャリヤーの全長に沿って間隔をあけて固定され、膨張性重合体のヒドロゲルから形成された複数の膨張性繊維とを含む脈管塞栓形成装置。
【請求項４４】
重合体ヒドロゲルが所定時間経過後に温度及びｐＨよりなる群から選択される環境パラメターの変化に応答して膨張するタイプのものである請求項４３に記載の塞栓形成装置。
【請求項４５】
キャリヤーが拘束されていないときに三次元形状をとり得るマルチループ構造の形で配置された請求項４３に記載の塞栓形成装置。
【請求項４６】
三次元形状が円形、螺旋形及び卵形よりなる群から選択される請求項４５に記載の塞栓形成装置。
【請求項４７】
次の構成：
弾性記憶を有する所定の長さのワイヤーから形成され且つ最初はループ構造を形成する部分で形作られ、それによって三次元形状をとる可撓性の糸状キャリヤーと、
該キャリヤーの周囲に同軸に配置され且つそれに取り外せないように取り付けられた塞栓形成要素であってその少なくとも一部分が親水性重合体から形成されているものと
を含む、糸状塞栓性装置。
【請求項４８】
キャリヤーが連続長のマイクロコイルからなる請求項４７に記載の装置。
【請求項４９】
塞栓形成要素がキャリヤーに塗布された被覆剤を含む請求項４７に記載の装置。
【請求項５０】
被覆剤がキャリヤー全長の少なくとも一部分を包封する請求項４９に記載の装置。
【請求項５１】
次の構成：
拘束されていないときに三次元形状をとる可撓性の糸状キャリヤーであって外部表面と遠位先端部とを有するものと、
該キャリヤーの外部表面にその近位先端部から近接した位置で取り外せないように固定された耐伸長性の塞栓形成要素であって少なくとも一部分が親水性重合体から形成されたものと
を含む脈管塞栓形成装置。
【請求項５２】
次の構成：
可撓性のある重合体フィラメントと該フィラメントを同軸に取り囲むマイクロコイルとからなる所定の長さのキャリヤーと、
該キャリヤー状に同軸に配置され且つそれに取り外せないように取り付けられた重合体塞栓形成要素であってこれが該キャリヤーの全長の少なくとも一部分を事実上連続的に覆うものと
を含む、脈管部位を閉鎖させるための装置。
【請求項５３】
塞栓形成要素が親水性重合体からなる請求項５２に記載の装置。
【請求項５４】
マイクロコイルが少なくとも部分的に白金から作られた請求項５２に記載の装置。
【請求項５５】
キャリヤーが拘束されていないときに螺旋形、円形及び卵形よりなる群から選択される形状をとるループ構造に形成されている請求項５２に記載の装置。
【請求項５６】
塞栓形成要素が耐伸長性である請求項５２に記載の装置。